(57)【要約】【課題】      釣り用ケ−ス本体の取付部が衣服に接触することなく容易に移動出来るウエストベルト付き釣り用ケ−スを提供することである。【解決手段】  ウエストベルト１はベルト体３とベルトの重合部４とベルト体５が接続用リング部材１０、１１で連結され、ベルト体３の端にバックル６が、ベルト体５の端にバックル７が接続されている。  ベルト体３、５は扁平な紐や合成樹脂繊維の織布からなっている。  ベルトの重合部４は合成樹脂やゴムや皮革等で身体に沿って湾曲するように可撓性または柔軟性を有し、扁平のリング状で内側ベルト部４ａと外側ベルト部４ｂからなっていて、わずかに内側ベルト部４ａと外側ベルト部４ｂの間には隙間が設けられ、ベルトの重合部４は、ベルト体３、５がバックル６、７を身体の正面にして装着したときにそれぞれ体側を挟んで身体の一側の前側と後ろ側に位置する。【選択図】        図１
2004215661.tif 000002
【特許請求の範囲】
【請求項１】
ウエストベルト付き釣り用ケ−スにおいて、前記ウエストベルト付き釣り用ケ−スを装着したときに少なくとも身体の前側から体側を通って後ろ側に亘る位置に、内側ベルト部と外側ベルト部を有するベルトの重合部を形成し、該ベルトの重合部の前記外側ベルト部に、その長手方向に移動自在に釣り用ケ−スを保持したことを特徴とするウエストベルト付き釣り用ケ−ス。
【請求項２】
ベルトの重合部は、リング状部材からなることを特徴とする請求項１記載のウエストベルト付き釣り用ケ−ス。
【請求項３】
ベルトの重合部は、内側ベルト部を内側にするように湾曲していることを特徴とする請求項１または２記載のウエストベルト付き釣り用ケ−ス。
【請求項４】
ウエストベルト付き釣り用ケ−スにおいて、ウエストベルトの長手方向の中間位置をＰとし、ウエストベルトの端部とＰの中間位置をＱとしたときに、前記ウエストベルトの長手方向に沿って前記ウエストベルトの一端側からＱを通ってＰ側に亘る内側ベルト部と外側ベルト部を有するベルトの重合部を形成し、該ベルトの重合部の前記外側ベルト部に、その長手方向に移動自在に釣り用ケ−スを保持したことを特徴とするウエストベルト付き釣り用ケ−ス。
【請求項５】
ベルトの重合部は、リング状部材からなることを特徴とする請求項４記載のウエストベルト付き釣り用ケ−ス。
【請求項６】
ベルトの重合部は、内側ベルト部を内側にするように湾曲していることを特徴とする請求項４または５記載のウエストベルト付き釣り用ケ−ス。
【発明の詳細な説明】
【技術分野】
【０００１】
本発明は、ウエストベルト付き釣り用ケ−スの改良に関する。
【背景技術】
【０００２】
特許文献１には、開閉可能な容体の背部に、一部をスナップ等により接合、分離可能としたバンド通しを取付けた釣用小物入れが示されている。
【０００３】
特許文献２には、身体に装着されるウエストベルトにベルト保持部で釣具収納ボックスを保持させたまま、その釣具収納ボックスを開いて釣具を取り出したり釣具を収納したりすることのできる釣具収納ボックスの携行具が示されている。
【０００４】
従来釣りで釣用小物入れや釣具収納ボックスが使用される時は、ズボンのベルトや衣服の上にウエストベルトが取り付けられてズボンのベルトやウエストベルトに特許文献１の釣用小物入れが取り付けられたり、特許文献２のように身体に装着されるウエストベルトにベルト保持部で釣具収納ボックスを保持させていた。
釣り場で身体に装着した釣用小物入れや釣具収納ボックスから物を取り出す時には、釣用小物入れや釣具収納ボックスを身体の前側に装着して使用し、それ以外の時は釣りの邪魔にならないように、釣用小物入れや釣具収納ボックスを身体の側部より後ろ側に装着していることが好ましい。
【０００５】
しかし、このように釣用小物入れや釣具収納ボックスを身体の前側に装着したり、後ろ側に装着したりするには、特許文献１の釣用小物入れではズボンのベルトに取り付けられているためズボンのベルト通しに釣用小物入れのバンド通しがぶつかって移動出来なかった。
また、特許文献１の釣用小物入れを衣服の上にウエストベルトが取り付けられてこのウエストベルトに釣用小物入れを取り付けている時や特許文献２の身体に装着されるベルトにベルト保持部で釣具収納ボックスを保持させた時には、ウエストベルトごと回して衣服の上を移動させることは摩擦抵抗が大きく困難であり、ベルトをそのままに衣服の上を釣用小物入れや釣具収納ボックスを移動する場合でも衣服と、釣用小物入れに取り付けられたバンド通し（取付部）や釣具収納ボックスのベルト保持部が摩擦して移動し難い欠点があり、ベルトを外して移動させていた。
【特許文献１】実開昭６３−１２２０８１号公報
【特許文献２】特開平１１−７５６５１号公報
【発明の開示】
【発明が解決しようとする課題】
【０００６】
解決しようとする課題は、釣用小物入れや釣具収納ボックスを身体の前側に装着したり、後ろ側に装着したりするには、特許文献１の釣用小物入れではズボンのベルトに取り付けられた時にはズボンのバンド通しに釣用小物入れのバンド通しがぶつかって移動出来なかった。
また、特許文献１の釣用小物入れを衣服の上にウエストベルトが取り付けられてこのウエストベルトに釣用小物入れが取り付けられている時や特許文献２の身体に装着されるベルトにベルト保持部で釣具収納ボックスを保持させた時には、ベルトごと回して衣服の上を移動することは摩擦抵抗が大きく困難であり、ベルトをそのままに衣服の上を釣用小物入れや釣具収納ボックスを移動する場合でも衣服と、釣用小物入れに取り付けられたバンド通しや釣具収納ボックスのベルト保持部が摩擦して移動し難い欠点があることである。
【０００７】
本発明の目的は前記欠点に鑑み、釣り用ケ−ス本体の取付部が衣服に強く接触することなく釣り用ケ−スを容易にウエストベルトに沿って移動出来るウエストベルト付き釣り用ケ−スを提供することである。
【課題を解決するための手段】
【０００８】
上記課題を解決するために、
請求項１に係わる本発明は、ウエストベルト付き釣り用ケ−スにおいて、前記ウエストベルト付き釣り用ケ−スを装着したときに少なくとも身体の前側から体側を通って後ろ側に亘る位置に、内側ベルト部と外側ベルト部を有するベルトの重合部を形成し、該ベルトの重合部の前記外側ベルト部に、その長手方向に移動自在に釣り用ケ−スを保持したことを要旨とするものである。
請求項２に係わる本発明は、ベルトの重合部は、リング状部材からなることを要旨とするものである。
請求項３に係わる本発明は、ベルトの重合部は、内側ベルト部を内側にするように湾曲していることを要旨とするものである。
請求項４に係わる本発明は、ウエストベルト付き釣り用ケ−スにおいて、ウエストベルトの長手方向の中間位置をＰとし、ウエストベルトの端部とＰの中間位置をＱとしたときに、前記ウエストベルトの長手方向に沿って前記ウエストベルトの一端側からＱを通ってＰ側に亘る内側ベルト部と外側ベルト部を有するベルトの重合部を形成し、該ベルトの重合部の前記外側ベルト部に、その長手方向に移動自在に釣り用ケ−スを保持したことを要旨とするものである。
請求項５に係わる本発明は、ベルトの重合部は、リング状部材からなることを要旨とするものである。
請求項６に係わる本発明は、ベルトの重合部は、内側ベルト部を内側にするように湾曲していることを要旨とするものである。
【発明の効果】
【０００９】
ウエストベルトで釣人の腰に装着された釣り用ケ−ス本体を身体の前側と後ろ側に容易に移動することができ、釣り用ケ−ス本体の中から物を取り出す時には前側に移動し、釣竿の操作を行う時は、後ろ側に移動することで釣りの操作の邪魔にならないようにすることができる。
【発明を実施するための最良の形態】
【００１０】
本発明においては、ベルトの重合部４、４′、４″、９は、ウエストベルト１の長手方向に沿って設けられ、釣り用ケ−ス本体２の取付部１４はベルトの重合部４、４′、４″、９の外側ベルト部４ｂ、９ｂに沿って移動可能に係合されている。
したがって、ベルトの重合部は、ウエストベルト１の外側に沿って設けられた釣り用ケ−ス本体２の取付部を移動自在に保持する。
【００１１】
本発明により、ウエストベルト１が釣人の腰に装着される時、ウエストベルト１の長さがバックル（係合部材）６と長さ調整環８で調整されて取り付けられ、ベルトの重合部４、４′、４″、９はウエストベルト１のバックル６近傍からウエストベルト１の長手方向の中程（身体に取り付けたときは身体の前側から体側を通って後ろ側）に亘って設けられるので、釣り用ケ−ス本体２を身体の前側から後ろ側に移動することが出来る。
【００１２】
釣り用ケ−ス本体２の取付部１４はベルトの重合部４、４′、４″、９の外側ベルト部４ｂ、９ｂに取り付けられているためウエストベルト１の裏面（内側）と衣服に挟まれて強く接触しないから、釣り用ケ−ス本体２を容易に移動することができ、釣り用ケ−ス本体２の中から物を取り出す時には釣り用ケ−ス本体２を身体の前側に移動し、釣竿の操作を行う時は、後ろ側に移動することで釣りの操作の邪魔にならず、また、身体の後ろ側から前側へ移動することもできる。
【００１３】
ベルトの重合部は、内側と外側にベルトを向かい合わせ状に並設して配置した部分で、内側と外側のベルトは重ねるように接して設けられていても、間隔を開けて設けられていてもよい。
ベルトの重合部は、ウエストベルト１を身体に取り付けて張った状態において外側のベルトによじれ又は弛みが生じない程度に内側のベルトに近設するか、よじれ又は弛みが生じない程度に硬質の部材で構成するのが好ましい。
【００１４】
釣り用ケ−ス本体２の移動する身体の前側と後ろ側は、ウエストベルト１を釣人に止着した時の身体の腹側と背中側であり、およそ釣人が腕を下ろした時の腕の位置（体側）の前側と後側の領域がこれに該当する。
したがって釣り人が身体の前側で釣り用ケ−ス２から物の出し入れが無理なくできるような位置と、釣りをしている時に釣り用ケ−ス２が肘等に当たるなど腕の動きの邪魔になることのない位置であって、身体の真正面と真後ろに限定されない。
また、ウエストベルト１のバックル６、７を身体の正面（真正面）で止めると（釣人に取り付けた模式図の図４参照）、ウエストベルト１の長手方向中間位置Ｐが背面（真後ろ）となり、さらにこの正面（バックル６、７の位置）と背面（ウエストベルト１の長手方向中間位置Ｐ）の中間Ｑが体側に該当する位置となる。
したがって前記正面と背面の中間の体側より前方が身体の前側で、体側より後方が身体の後ろ側となる。
【実施例１】
【００１５】
以下、図示の実施例によって本発明を説明すると、図１から図４は第１実施例で、図１の（ａ）はウエストベルト付き釣り用ケ−スの展開斜視図で（ｂ）は（ａ）図の左側（バックル６側）の拡大斜視図で（ｃ）は（ａ）図の右側（バックル７側）の拡大斜視図、図２はウエストベルトと要部を断面にした釣り用ケ−スの側面図、図３の（ａ）はウエストベルト付き釣り用ケ−スの平面図で（ｂ）は（ａ）図の上側の拡大平面図で（ｃ）は（ａ）図の下側の拡大平面図、図４は釣人とウエストベルト付き釣り用ケ−スの平面説明図で、身体に取り付けた時の模式図である。
【００１６】
ウエストベルト付き釣り用ケ−スはウエストベルト１に上方に開口を有する釣り用ケ−ス本体２を長手方向に移動自在に取り付けて構成されている。
ウエストベルト１はベルト体３とベルトの重合部４とベルト体５が接続用リング部材１０、１１で連結され、ベルト体３の端にバックル（係合部材）６が、ベルト体５の端にバックル（係止部材）７が接続されている。
バックル６、７が係脱自在に係合されることで釣人Ａの正面で止着されてウエストベルト１が釣人Ａの腰に装着される。
ベルト体５の長さは、バックル７と長さ調整環８で調整され、ウエストベルトの長さを少なくとも７０ｃｍから１００ｃｍ程度の長さに調節できるようになっている。
ベルト体３、５は扁平な紐や合成樹脂繊維の織布等からなっている。
【００１７】
ベルトの重合部４は合成樹脂やゴムや皮革等で身体に沿って湾曲するように可撓性または柔軟性を有し、リング状に形成したベルトを扁平になるように両端を折曲して重合し、内側ベルト部４ａと外側ベルト部４ｂからなっていて、わずかに内側ベルト部４ａと外側ベルト部４ｂの間には隙間が設けられている。
ベルトの重合部４は、ベルト体３、５がバックル６、７を身体の正面にして装着したときにそれぞれ体側を挟んで身体の一側の前側から後ろ側に亘って位置する。
このウエストベルト１の長手方向の中間位置をＰとし、この長手方向の中間位置をＰとウエストベルト１の端部６ａ、７ａとの中間位置をＱ（Ｑ１、Ｑ２）とすると身体に装着したときにＱ（Ｑ１、Ｑ２）が体側位置となる。
したがって、この実施例に置いてベルトの重合部４は、端部６ａ側（バックル６側）に設けられ、端部６ａ側（バックル６側）からＱ１を通って中間位置Ｐに達するように設けられている。
【００１８】
釣り用ケ−ス本体２は上方に開口を有し、ベルトの重合部４に取り付けられている。
その開口には蓋体１２が係合チャック１３で開閉自在に閉じられている。
釣り用ケ−ス本体２の材料は、防水性を有していることが好ましい。
釣り用ケ−ス本体２の背面（ベルトの重合部４の外側ベルト部４ｂ側の面）には図２のように取付部１４が固定されている。
取付部１４は柔軟性を有する布製のベルトで、上下から折り返されて紐からなるベルトの重合部４の外側ベルト部４ｂを跨いで重ねられ、重ねられた面はベルベット式ファスナ−やホック等で固定されている。
【００１９】
したがって取付部１４は輪になっており、輪の中にベルトの重合部４の外側ベルト部４ｂが挿通されて取り付けられているので、釣り用ケ−ス本体２はベルトの重合部４の外側ベルト部４ｂの長手方向に移動自在に保持（遊嵌）されている。
取付部１４は、釣り用ケース２の移動がスムースになるように移動方向に扁平に形成され、その内側に滑りがよい表面が平らな硬質の合成樹脂板を貼着したり、取付部１４を合成樹脂板で形成したり、ベルトの重合部４を合成樹脂板のリング状として釣り用ケ−ス本体２の移動時の摩擦抵抗を低減してもよい。
ベルトの重合部４がリング状の合成樹脂板であると、ベルトの重合部４の外側ベルト部４ｂの平面に支持されて釣り用ケ−ス本体２を安定して移動させることができる。
【００２０】
釣り用ケ−ス本体２の側部の前方側にはそれぞれ上下に端部を止着した上下方向の取っ手１５が取り付けられて、この取っ手１５を握持して釣り用ケ−ス本体２を移動させる。
取っ手１５は釣り用ケ−ス本体２の上記以外の位置に設けてもよく、布製のほか合成樹脂製や木製でもよい。
【００２１】
ウエストベルト１が釣人の腰に装着される時、ベルト体５の長さがバックル７と長さ調整環８で調整されて取り付けられ、合成樹脂やゴムや皮革等で柔軟性を有し、扁平のリング状のベルトの重合部４は正面のバックル６の近傍から背面のベルト１の長手方向の中程に亘って設けられるので、釣り用ケ−ス本体２を前側から体側を通って後ろ側に釣人の身体回わりに回して移動することが出来る。
【００２２】
前記のようにウエストベルト付き釣り用ケ−スが構成されると、釣り用ケ−ス本体２の取付部１４は、扁平のリング状のベルトの重合部４の外側ベルト部４ｂに取り付けられ、内側ベルト部４ａが外側ベルト部４ｂの内側に沿って設けられて、釣り用ケ−ス本体２の取付部１４と衣服の間に内側ベルト部４ａが介在するため、釣り用ケ−ス本体２の取付部１４は衣服には接触していないから、釣り用ケ−ス本体２を容易に移動することができ、釣り用ケ−ス本体２の中から物を取り出す時には取っ手１５を引いて釣り用ケ−ス本体２を前側に移動し、釣竿操作を行う時は、釣り用ケ−ス本体２を押して後ろ側に移動することで釣りの操作の邪魔にならない。
【００２３】
また、釣り用ケ−ス本体２の取付部１４は内側ベルト部４ａと接触することがあるが、内側ベルト部４ａは身体に取り付けた時に身体に沿って衣服を押圧しながら張った状態となるため取付部１４が皺が発生しやすい衣服に接触した場合より引っ掛かりがなくなる。
さらに、身体に取り付けたときベルト重合部４の可撓性または柔軟性で内側ベルト部４ａの外側面に沿って外側ベルト部４ｂの内側面が当接するように形成すると、釣り用ケ−ス本体２の取付部１４が内側ベルト部４ａと外側ベルト部４ｂの間を取付部１４が狭持されながら案内されて移動するため釣り用ケ−ス本体２のがたつき又は垂れ下がりが防止されて保持され、移動もスムースに行える。
【００２４】
なお、釣り用ケ−ス本体２が身体の左側になるように取り付けたウエストベルト付き釣り用ケ−スの釣り用ケ−ス本体２を、これとは上下逆さに外側ベルト部４ｂに取り付け直して、身体に対しウエストベルトの左右付け直しをするだけで、釣り用ケ−ス本体２が身体の右側になるように付け換えすることができる。
ウエストベルトの長さが調整可能な場合、ウエストベルトが一般に良く使用される長さである７０ｃｍから１００ｃｍのいずれかの長さにおいてベルトの重合部４がウエストベルト１の一端部側から体側位置（Ｑ（Ｑ１、Ｑ２））の位置を通り後ろ側（ウエストベルト１の長手方向の中間位置Ｐ側）に亘るように形成されているものであればよい。
【００２５】
尚、第１実施例のウエストベルト付き釣り用ケ−スを用いて、ベルトの重合部４の前側端部の位置と後ろ側端部の位置を変えて釣り用ケ−ス本体２を移動させて、身体の前側に移動させたときの釣り用ケ−スの物の取り出し具合と、身体の後ろ側に移動させた時の釣り操作具合について調べた。
調査は、大きさ、縦７ｃｍ、横１６ｃｍ、高さ１６ｃｍで、取付具をウエストベルト側の面の横幅の中間位置に設けた上方に開口を有する釣り用ケ−ス本体を使用し、バックル６、７は身体の正面（真正面）で止めて、ウエストベルト１の長手方向中間位置Ｐを背面（真後ろ）とし、さらに、この正面と背面の中間位置Ｑ（Ｑ１、Ｑ２）を体側に該当する位置として釣り人１０人が評価した。
この場合、釣り用ケ−ス本体２の取付部１４がベルトの重合部４の前側端部と後ろ側端部に移動した状態で評価している。
【００２６】
その結果、身体の前側に移動させたときの釣り用ケ−スの物の取り出し具合について良好とした人は、ベルトの重合部４の前側端部の位置を体側（Ｑ１の位置）から前側３ｃｍの場合０人、５ｃｍで０人、８ｃｍで６人（良好との回答が得られ、かつ過半数を上回った）、１０ｃｍで１０人（全員から良好の回答が得られた）、１５ｃｍで１０人、２５ｃｍの身体正面近傍で１０人であった。
一方、身体の後ろ側に移動させたときの釣り用ケ−スに対する釣り操作の具合について良好とした人は、ベルトの重合部の後ろ側端部の位置を体側（Ｑ１の位置）から後ろ側３ｃｍの場合０人、５ｃｍで７人（良好との回答が得られ、かつ過半数を上回った）、８ｃｍで１０人（全員から良好の回答が得られた）、１０ｃｍで１０人、１５ｃｍで１０人、２５ｃｍの身体背面（真後ろ）近傍で１０人であった。
ただし、例えば体側（Ｑ１の位置）から前側３ｃｍ、体側から後ろ側３ｃｍの僅かな移動でも体側（Ｑ１の位置）を挟んで前後に釣り用ケ−ス本体２が移動できると少なくとも物の取り出し、釣り操作のしやすさは従来より向上しているとの回答は１０人全員から得られた。
【００２７】
したがって、ベルトの重合部４の前側端部の位置は、体側（Ｑ１の位置）から前側８ｃｍ以上（好ましくは１０ｃｍ以上）とし、身体正面位置（バックル６の近傍）まで設けてもよく、ベルトの重合部４の後ろ側端部の位置は、体側（Ｑ１の位置）から後ろ側５ｃｍ以上（好ましくは８ｃｍ以上）とし、身体背面近傍位置まで設けてもよい。
さらに、このことからベルトの重合部４は、バックル６の正面近傍からウエストベルト１の長手方向中間位置Ｐの背面（真後ろ）を通って、バックル６の反対側のバックル７側の正面近傍まで延長して設けても良い。
【実施例２】
【００２８】
図５は第２実施例で、（ａ）はウエストベルト付き釣り用ケ−スの斜視図で（ｂ）は（ａ）図の左側（バックル６側）の拡大斜視図で（ｃ）は（ａ）図の右側（バックル７側）の拡大斜視図である。
【００２９】
第２実施例では、ウエストベルト１のベルトの重合部４′の内側ベルト部４ｃが外側ベルト部４ｂより幅広く形成されている。
釣り用ケ−ス２を移動させた時に釣り用ケ−ス２又は取付具１４は幅広の内側ベルト部４ｃによって第１実施例よりもさらに衣服に接触しにくくなり移動がスム−ズになる。
他の構成は前記第１実施例と略同一である。
【実施例３】
【００３０】
図６は第３実施例で、ウエストベルト付き釣り用ケ−スの平面図である。
【００３１】
第３実施例では、ウエストベルト１のベルトの重合部４″はベルトの重合部４と同形で材料はベルトの重合部４より硬く、内側ベルト部４ａが内径側（内側）となるように常時幾分湾曲形成されて身体の形状に沿うようになっている。
よって、身体に止着した場合でも、外側ベルト部４ｂと内側ベルト部４ａの間の間隙があまり狭くならず、釣り用ケ−ス２の移動がさらにスム−ズになる。
他の構成は前記第１実施例と略同一である。
【実施例４】
【００３２】
図７は第４実施例で、（ａ）はウエストベルト付き釣り用ケ−スの平面図で（ｂ）は（ａ）図の上側（バックル６側）の拡大平面図で（ｃ）は（ａ）図の下側（バックル７側）の拡大平面図である。
【００３３】
第４実施例では、ウエストベルト１のベルトの重合部９は合成樹脂やゴム等で一体に形成し、身体に沿って湾曲するように可撓性または柔軟性を有し、扁平のリング状で内側ベルト部９ａと外側ベルト部９ｂからなり、長手方向の両端に接続部９ｃ、９ｄが形成されて、わずかに内側ベルト部９ａと外側ベルト部９ｂの間には隙間が設けられている。
接続部９ｃにはベルト体３の端が固定され、接続部９ｄにはベルト体５の端が固定されている。
他の構成は前記第１実施例と略同一である。
【産業上の利用可能性】
【００３４】
本発明は、ウエストベルト付き釣り用ケースとして釣り全般に使用することができる。
【図面の簡単な説明】
【００３５】
【図１】第１実施例で、（ａ）はウエストベルト付き釣り用ケ−スの展開斜視図で（ｂ）は（ａ）図の左側（バックル６側）の拡大斜視図で（ｃ）は（ａ）図の右側（バックル７側）の拡大斜視図である。
【図２】同ウエストベルトと要部を断面にした釣り用ケ−スの側面図である。
【図３】同（ａ）はウエストベルト付き釣り用ケ−スの平面図で（ｂ）は（ａ）図の上側の拡大平面図で（ｃ）は（ａ）図の下側の拡大平面図である。
【図４】同釣人とウエストベルト付き釣り用ケ−スの平面説明図で、身体に取り付けた時の模式図である。
【図５】第２実施例で、（ａ）はウエストベルト付き釣り用ケ−スの斜視図で（ｂ）は（ａ）図の左側（バックル６側）の拡大斜視図で（ｃ）は（ａ）図の右側（バックル７側）の拡大斜視図である。
【図６】第３実施例で、ウエストベルト付き釣り用ケ−スの平面図である。
【図７】第４実施例で、（ａ）はウエストベルト付き釣り用ケ−スの平面図で（ｂ）は（ａ）図の上側（バックル６側）の拡大平面図で（ｃ）は（ａ）図の下側（バックル７側）の拡大平面図である。
【符号の説明】
【００３６】
１  ウエストベルト
２  釣り用ケ−ス本体
４、４′、４″、９  ベルトの重合部
４ａ、４ｃ、９ａ  内側ベルト部
４ｂ、９ｂ  外側ベルト部
【図１】
2004215661.tif 000003
【図２】
2004215661.tif 000004
【図３】
2004215661.tif 000005
【図４】
2004215661.tif 000006
【図５】
2004215661.tif 000007
【図６】
2004215661.tif 000008
【図７】
2004215661.tif 000009